(57)【要約】吊下げ式絵画ギャラリーまたはアルバムであって、複数の比較的大きなプラスチックシートを有し、各シートは各写真を保持する多数のポケットから構成されている。好ましき実施例では、各シートの両側にポケットが形成されている。シートは多フック支持部材上に垂直に保持されており、ドアーの頭部から吊り下げるようになっている。シートの数は多フック支持部材上のフックのサイズによってのみ制約される。ドアーに応力を掛けることなく１０〜５０個のシートが支持部材上に収容できる。各シートは２０〜５０個のポケットを各側に有することができ、一度に見ることができる。好ましき実施例では、シートは幅が３０”より若干小さくフックから吊り下げたり、クローゼットドアーの裏側から吊り下げたり、ベッドルームドアーから吊り下げたりできる。異なるサイズのドアー厚さのためにフック支持部材の種々の態様が開示されており、人手で運搬することもできる。
2004535312.tif 000002
【特許請求の範囲】
【請求項１】
それぞれが少なくとも一面に複数の透明ポケットを有した複数のシートと、複数のシートの各シートを他のシートの頭部に近接して垂直保持するための支持部材と、支持部材に各シートを取り外し可能に垂直に取り付ける垂直保持手段と、支持部材上において複数のシートとともにアルバムを垂直に配列して吊り下げる吊下げ手段とを有してなる絵画展示アルバム。
【請求項２】
吊下げ手段がドアーの頭部に取り付けるのに適したＵフックを有していることを特徴とする請求項１に記載のアルバム。
【請求項３】
Ｕフックが支持部材上で回転して異なるドアー厚さについて調節することを特徴とする請求項２に記載のアルバム。
【請求項４】
アルバムを支持するグリップを有していることを特徴とする請求項１に記載のアルバム。
【請求項５】
吊下げ手段が支持部材上で回転することにより有効サイズに調節可能であることを特徴とする請求項１に記載のアルバム。
【請求項６】
垂直保持手段が各シートの頭部に形成された管とこれに貫通できるロッドとを有していることを特徴とする請求項１に記載のアルバム。
【請求項７】
ロッドの端部からフックが延在していることを特徴とする請求項６に記載のアルバム。
【請求項８】
支持部材が複数のＪフックを有しており、ロッドフックがひとつのＪフックに添着してシートを支持部材に取り付けることを特徴とする請求項７に記載のアルバム。
【請求項９】
少なくとも１個のＪフックがロッドフックから離れている方のロッド端部を支持するアイフックを有していることを特徴とする請求項８に記載のアルバム。
【請求項１０】
複数の小さな絵画を大きなポケットに挿入するためのポケット挿入体を少なくとも１個有していることを特徴とする請求項１に記載のアルバム。
【請求項１１】
少なくとも１個のシートにおいて少なくともいくつかの複数のポケットの間にシートの折畳みを容易とするスペースと孔が存在することを特徴とする請求項１に記載のアルバム。
【請求項１２】
吊下げ手段がＵフックを有しており、該Ｕフックが支持部材上で回転してシートを支持部材からの不測弛緩から保っていることを特徴とする請求項１に記載のアルバム。
【請求項１３】
支持部材がアルバムを吊下げる支持部材上の組合せ手段を有した単一ピースを有しており、組合せ手段が複数のシートを垂直に保持することを特徴とする請求項１に記載のアルバム。
【請求項１４】
各シートの頭部に沿って形成された管と管に挿入されたロッドとを有しており、各ロッドの各端部が組合せ手段上に添着して複数のシートを垂直に保持することを特徴とする請求項１３に記載のアルバム。
【発明の詳細な説明】
【技術分野】
【０００１】
この発明は２００１年６月４日提出の仮特許出願第６０／２９５，６５７号の利益を主張するものである。
【０００２】
この発明は多数の小さな写真を保護し、纏めかつ展示する絵画アルバムに関するものである。そのようなアルバムは一般に多数の頁を有した大きな本の形であり、絵画サイズや頁サイズに応じて各頁が４〜１２個の絵画を保持するようになっている。頁は強い紙からなりそこに写真が貼付されている。または頁はプラスチック製で、写真を保持するポケットを具えている。
【発明の開示】
【発明が解決しようとする課題】
【０００３】
アルバムは写真を保護するには適しているが、写真を展示したり纏めたりするにはある種の不完全さを有している。例えば、写真は頁毎に纏められ展示される。したがって１回には特定の頁のみしか見ることができない。ある種のアルバムでは、頁の裏側が写真を展示するのに使われて可視頁を倍にしている。しかし頁を開閉するに際して写真を損傷する結果となることがしばしばある。
【０００４】
かかるアルバムの不完全さを克服し、より大なる纏め・展示スペースを可能とするべく、以下のような吊下げ絵画アルバムが開発された。
【課題を解決するための手段】
【０００５】
新規な吊下げ式絵画アルバムは複数のプラスチックシートを有しており、各シートは個々の写真を保持する多数のポケットで構成されている。ポケットは各シートの片側または両側に存在している。好ましき実施例では、プラスチックシートは特殊な多フック支持部材上に垂直に保持され、該支持部材はドアーの頭部から吊り下げるようになっている。プラスチックシートの数は支持部材上のフックのサイズによってのみ制約される。１０〜５０個のシートが支持部材上に保持され、ドアーに不要な応力を掛けることはない。
【０００６】
一般的には、１０個未満のシートが採用される。何故なら各シートは２０〜５０個の写真用ポケットを有しており、その全てが一度に見ることができるからである。好ましき実施例では、シートの幅は３０”未満であって、クローゼットまたベッドルームのドアーの裏側に便利に吊り下げられる。ひとつの選択として、不透明なダストカバーをフックから吊り下げてプラスチックシートの上下の群を覆い、写真への光による損傷からシートを保護してもよい。
【０００７】
以下に開示する吊下げ絵画アルバムは写真の展示に向けられたものではあるが、テキストノートや識別情報物などの他の薄い品目などを一部のポケットに入れてもよく、ディスクなどのコンピューター関連品目を入れてもよい。
【発明を実施するための最良の形態】
【０００８】
図１、２において、Ｕフック１２を具えた支持部材１０はドアー１４の頭部に添着されて、かつ自身から延在している複数のＬフック１６を有している。Ｌフック１６は離間していてプラスチックシート２０の頭部の孔１８を受ける。これによりシートはＬフックから自由に吊り下がる。
【０００９】
シート２０は点線２２で区画された複数のポケットを有しており、該ポケットの開口は実線２４により区画されている。図示された垂直様式で４”Ｘ６”の写真と仮定すると、中央スペース２６と縁部２８を含んだ全幅は３０”以内であり、長さは４４”以内である。このようなサイズは標準クローゼットドアーの裏側に好適である。３６個までの絵画３０が展示可能で魅力的な様式で見ることができる。シート２０はＬフック１６から容易に除いてテーブル上または他の目的のために広げたりすることができる。両側にポケット２２を具えると、単一のシート２０で７２個までの写真を収容できる。多シート２０を用いると多量の写真を纏めたかつ簡単に見られる様式で展示できる。
【００１０】
図３、４にポケット２２とシート４０とが示されており、シートの頭部３２は水平管３４に挿入されており、該管は一端部または両端部３６が開口している。そこには衣服用ハンガー３８を挿入して、シート４０を典型的なクローゼットロッドに支持できる。使用されるシート４０の数に応じて、多数の写真を収納できるが、フックに垂直状にまたはテーブルに水平状に容易に展示することができる。
【００１１】
図５に示すように頭部３２における水平管３４にはカフェロッド４２を収容して、壁掛け状にシート４４を展示することができる。シート４４は水平様式に配列された４０個のポケット２２を有している。ポケットが４”Ｘ６”の写真を収容するものとすると、シート４４の全幅は約２８”で全長は約４６”となり、オフィスまたは家庭において写真を魅力的に展示することができる。
【００１２】
図１、６に不透明または透明なほこりおよび光を保護するカバー４８を示す。該カバーには孔５０がシート２０中の孔１８と合致して存在している。また不透明または透明なカバー４８は頭部に若干の変更を加えて図５に示す壁掛け式実施例にも使用できる。
【００１３】
図７Ａ、７Ｂ、８に小サイズ写真用のポケット挿入体５２と５４を示す。シート２０は２または４倍の多いポケットを小写真用に形成できるが、そのような構成にすると大小の写真を混ぜることができなくなる。多数の小写真を単一のポケットに詰め込むのに比べて、挿入体５２、５４を使うと小写真をより容易に出し入れすることが可能となる。挿入体５２、５４は不透明にしてネガの便利な入れ物にすることもでき、ネガを写真と一緒にすることが可能となり、ネガを見失う可能性も少なくなる。不透明な挿入体の上に文字やタイトルを印刷することもできる。
【００１４】
ポケット挿入体５４を財布サイズの写真用サイズとすると、重要な部分、全配列クラスではないにしても、いかなる所望の配列でも展示することができる。若い世代のためには、小さな写真の単一大様式でもアルバム中の多くの頁でも展示様式を並び替えできるという、大きな利点がある。
【００１５】
図９に図１の実施例のシート２０の折畳みを示すが、便利な運搬ケース５６に収容できる。中央の垂直スペース２６と水平スペース５８とにより図９中に矢印で順を追って示すように縦横の折畳みができる。図１に示す孔６０によってシート２０を折り畳む際の皺の発生その他のトラブルが防止される。ケース５６の内部厚さに応じて数個のシート２０を折り畳んでその中に入れて運搬することができる。
【００１６】
図１０、１１、１２に転換式多フック支持部材６２を示す。ドアー掛けＵフック６４を、Ｕフックが図１１中矢印で示すように旋回可能な態様で、下側の水平材６６に取り付ける。上側水平材６８は図１０の位置から図１２の位置へのＵフック６４の旋回に対してストッパーまたは制約材として機能する。Ｌフック７０は上下の水平材６８、６６に固定締結されていて、転換式多フック支持部材６２を構成している。Ｕフック６４は図１０に示すように上側水平材６８の後に位置しているか、または図１２に示すように上側水平材６８の前に位置している。
【００１７】
Ｕフック６４を旋回させることにより、図１３Ａ、１３Ｂに示すように一般に用いられる２通りのドアー厚さに対応することができる。図１３Ａでは、ドアー７２厚さは比較的大きく（例えば１．７５”）、Ｕフック６４は上側水平材６８の後に配置される（図１０参照）。これに対して図１３Ｂではドアー７４厚さは小さく（例えば１．３７５”）、Ｕフック６４は上側水平材６８の前に配置される（図１２参照）。水平材６８を適宜なサイズにすることにより、アメリカで一般的な２通りの厚さの異なるドアーに応用可能であり、いずれのドアー厚さに対してもＵフックはしっかりと添着されるのである。
【００１８】
図１４、１５に一側２０個の写真のためのギャラリーシート７６、７８を示す。図１４に示すように５”Ｘ７”サイズの写真が水平方向に配列されているが、それでも３０”の標準ドアーサイズに適合できる。両側に２５個のシートを使うと非常に纏められた態様で１０００個の写真がクローゼットドアーの裏側に吊り下げられる。図１５にはギャラリーシート７８のための垂直様式であって、閉じたドアー内に追加の列を加えることができる。シートはフックに対して簡単に掛けたり外したりできるので、いかなるシートでも簡単に回収して展示に供することができる。
【００１９】
図１６に示すのはギャラリーシート８０の変形とハンガー８２であって、シートを除くことなしにシートを添加除去できるものである。シート８０の頭部８４は図３の示すのと同じ管によって構成されており、これによりロッド８６を挿入することができる。このロッド８６には垂直フック８８が一端に形成されており、他端近くにはノッチ９０が形成されている。
【００２０】
変形支持部材８２は水平ロッド９４、９６の中央に取り付けられたグリップ９２を有している。Ｊフック９８と第２のＪフック１００はロッド９４、９６の端部に取り付けられている。Ｊフック１００は水平ロッド９４、９６からＪフック９８よりも若干多く下方に延在していて、フック８８頭部のノッチ９０からの隆起による差異を受容している。頭部Ｕフック１０２、１０４は図１７、１８に示すようにロッド９４、９６に巻付け固定されている。図１７においてＵフック１０２、１０４はドアーの頭部に引っかかる状態にある。これに対して図１６、１８においてはＵフックは、ギャラリーまたはアルバムがグリップ９２で支持されるときに、複数のシート８０とロッド８６がＪフック９８と１００から押し動かされるのを防止している。
【００２１】
図１９に示す支持部材８２の変形はロッド９４、９６の一端から下方に延在するアイフック１０６を有している。ロッド８６（１個だけを示す）を伴った複数のシート８０はアイフック１０６によりロッド８６のフックのない端部において支持されており、該アイフックはロッドとシートとが支持部材８２から不測弛緩（不測の原因で弛緩すること）するのを防止している。この態様では頭部Ｕフック１０８は同じであってロッド９６について回転する。ロッド８６上のフック１１０は図示の形状を有していて、Ｊフック９８に引っ掛かっている。図２０に示すのはアイフック１０６からの図１９の支持部材８２であって、Ｕフック１０８はドアーに取り付ける状態にある。図２１は引っ掛けフック１１０を具えたロッド８６である。
【００２２】
図１６と１９のシート８０をカバーすべく、図２２のカバー１１２は１対のロッド８６のための管１１４と１１６とを頭部に有している。グリップ９２を具えた支持部材８２を用いて、２５シート上の１０００個の写真が保護カバー１１２中に支持できる。
【００２３】
図２３、２４、２５にシート金属支持部材１１８を示すが、これは１ピースから穿孔、折曲げ、打抜きなどで形成されるものである。各端部にはＪフック１２０、Ｕフック１２２が一体に形成されている。前と同様にＵフック１２２はドアーに添着できるサイズになっている。しかしＪフック１２０はフック状の端部１２４に複数の平らなロッドを支持するサイズになっており、該端部は前と同様な態様で吊下げシート１２８の頭部に管１２６を介して添着している。２通りのサイズが予見され、ひとつは図２３の４個のポケットを添えた１２８であり他は３個のポケットを具えた図２４の１３０であって短い支持部材１３２上にある。図２５にはドアー１３４上に具えられた支持部材１１８と１３２である。
【００２４】
図２６の車付きカートはフレーム１３６、ハンドル１３８、４個の車１４０を有しており、図示のように側部を開けることができるか、または透明または不透明のサイドパネルを有している。透明また不透明な上部も具えられている。５０個以上の図２３または２４に示すようなシート１４２が平らなロッド１２４により吊り下げられてカート内に配置される。写真を載せると美麗な展示が得られる。図２３、２４に示すような支持部材を用いて、各シートを回収して支持部材に掛けて見ることができる。
【００２５】
図２７に示すのは吊下げシート１４４の書籍纏めであって側部に４個のポケット１４６を有している。書籍に加えて非常に大きな写真プリントをプレゼンテーション用に展示できる。大きなポケット１４６は書籍とコンピューターディスクまたはテープとの組合せまたは図２８に示すような折畳みシートを収容できる。
【００２６】
図２８には２４ポケットシート１４８が示されており、矢印で示すように４ステップで、より厚くなるが、単一ポケットサイズに折り畳まれる。図２８に図示しないが、使用されたプラスチックの可撓性およびポケット１５０中の絵画の厚さに応じて図１に示すようなパネルとコーナー孔６０間のスペース２６が必要となる。完全に折り畳まれると図２８のシートは図２９または３０に示すようなケース内に収容できる。または部分的に折り畳んだシートを図２７について述べたようにポケット内に配置できる。
【図面の簡単な説明】
【００２７】
【図１】単一シート、多フック支持部材およびドアーの分解斜視図である。
【図２】同じく組合せ斜視図である。
【図３】クローゼットハンガーへのシートの吊下げ動作を示す分解斜視図である。
【図４】クローゼットハンガーへのシートの吊下げ状態を示す斜視図である。
【図５】カフェロッドへのシートの吊下げ状態を示す。
【図６】シートとダストカバーとの部分切除図である。
【図７Ａ】小さな写真などの小物のためのポケット挿入体を示す。
【図７Ｂ】小さな写真などの小物のためのポケット挿入体を示す。
【図８】ポケット挿入体の挿入動作を示す。
【図９】１以上のシートの便利な搬送のためのシートの折畳みと包装動作を示す。
【図１０】転換式多フック支持部材の斜視図である。
【図１１】支持部材の転換を示す。
【図１２】転換後の支持部材の状態を示す斜視図である。
【図１３Ａ】２通りの異なるドアー厚さのための支持部材の転換を示す。
【図１３Ｂ】２通りの異なるドアー厚さのための支持部材の転換を示す。
【図１４】好ましき２０ポケットシートの斜視図である。
【図１５】同じく９０°展開した部分切除図である。
【図１６】支持部材と吊下げシートの他の実施例を示す。
【図１７】図１６の支持部材においてＵフックを上げた端面図である。
【図１８】同じくＵフックを下げた端面図である。
【図１９】図１６の支持部材の変化例を示す。
【図２０】図１９の支持部材においてＵフックを上げた端面図である。
【図２１】シートを保持する図１９のロッドの分離した斜視図である。
【図２２】図１６または１９のシートに適した吊下げカバーを示す。
【図２３】支持部材の組合せシート金属形態を示す。
【図２４】図２３の支持部材を短くしたものを示す。
【図２５】図２３、２４の支持部材の端面図である。
【図２６】図２３、２４の支持部材に適した多数のシートを搬送する車付きカートの斜視図を示す。
【図２７】書籍纏め用吊下げシートを示す。
【図２８】大きなシートの折畳み動作を示す。
【図２９】折り畳んだシートの運搬ケースを示す。
【図３０】運搬ケースの第２の例を示す。
【符号の説明】
【００２８】
１０：支持部材
１２：Ｕフック
１４：ドアー
１６：Ｌフック
２０：シート
２２：ポケット
３０：絵画
５２：支持部材
【国際公開パンフレット】
2004535312.tif 000003
2004535312.tif 000004
2004535312.tif 000005
2004535312.tif 000006
2004535312.tif 000007
2004535312.tif 000008
2004535312.tif 000009
2004535312.tif 000010
2004535312.tif 000011
2004535312.tif 000012
2004535312.tif 000013
2004535312.tif 000014
2004535312.tif 000015
2004535312.tif 000016
2004535312.tif 000017
2004535312.tif 000018
2004535312.tif 000019
2004535312.tif 000020
2004535312.tif 000021
2004535312.tif 000022
2004535312.tif 000023
2004535312.tif 000024
2004535312.tif 000025
2004535312.tif 000026
2004535312.tif 000027
2004535312.tif 000028
2004535312.tif 000029
2004535312.tif 000030
2004535312.tif 000031
【国際公開パンフレット（コレクトバージョン）】
2004535312.tif 000032
【国際調査報告】
2004535312.tif 000033